(57)【要約】  乳児キャリアは、本体と、少なくとも二つの取り付け箇所で本体に連結されるストラップとを含む。本体は、底パネルと、底パネルに連結される下方縁を有する非剛性の側壁とを含む。乳児キャリアはまた、本体における少なくとも一つのファスナを含む。該ファスナは、該乳児キャリアをベビーカーに解放可能に連結するように構成される。
2008515607.tif 000002
【特許請求の範囲】
【請求項１】
乳児キャリアであって、
底パネルと、底パネルに連結される下方縁を有する非剛性の側壁とを含む本体と、
少なくとも二つの取り付け箇所で本体に連結されるストラップと、
該乳児キャリアをベビーカーに解放可能に連結するように構成された、本体における少なくとも一つのファスナとを備えた乳児キャリア。
【請求項２】
前記側壁は、前記底パネルの両側部における第１及び第２側部パネルを含み、前記少なくとも一つのファスナは、第１側部パネルにおける第１ファスナと、第２側部パネルにおける第２ファスナとを含む請求項１に従う乳児キャリア。
【請求項３】
前記第１及び第２ファスナは、第１及び第２側部パネルの外側面にそれぞれ設けられる請求項２に従う乳児キャリア。
【請求項４】
前記少なくとも一つのファスナはＪ字形フックからなる請求項１に従う乳児キャリア。
【請求項５】
不使用時に前記少なくとも一つのファスナを覆う少なくとも一つのファスナカバーを更に備えた請求項１に従う乳児キャリア。
【請求項６】
前記本体に連結される子供拘束システムを更に備え、子供拘束システムは、少なくとも一つのウエストストラップを含み、前記少なくとも一つのファスナカバーは、不使用時に前記少なくとも一つのファスナを覆う少なくとも一つのウエストストラップのストラップ延長部を含む請求項５に従う乳児キャリア。
【請求項７】
前記少なくとも一つのファスナカバーは、不使用時に前記少なくとも一つのファスナを覆う、本体に形成されたポケットからなる請求項５に従う乳児キャリア。
【請求項８】
前記本体に連結される子供拘束システムを更に備えた請求項１に従う乳児キャリア。
【請求項９】
前記側壁は、頭部パネルを更に含む請求項２に従う乳児キャリア。
【請求項１０】
前記第１及び第２側部パネル及び頭部パネルは連続壁を形成する請求項９に従う乳児キャリア。
【請求項１１】
前記側壁は、足部パネルを更に備える請求項９に従う乳児キャリア。
【請求項１２】
前記第１及び第２側部パネル、頭部パネル及び足部パネルは連続壁を形成する請求項１１に従う乳児キャリア。
【請求項１３】
前記ストラップは、頭部パネル及び足部パネルに連結される請求項１１に従う乳児キャリア。
【請求項１４】
前記ストラップは、単一の取り付け箇所で頭部パネルに連結する請求項１３に従う乳児キャリア。
【請求項１５】
前記ストラップは、前記少なくとも二つの取り付け箇所のうちの一つで本体に解放可能に連結される請求項１に従う乳児キャリア。
【請求項１６】
乳児キャリア及びベビーカーを含む子供用品であって、
乳児キャリアは、
底パネルと、底パネルに連結される下方縁を有する非剛性の側壁とを含む本体と、
少なくとも二つの取り付け箇所で本体に連結されるストラップと、
本体における少なくとも一つのキャリアファスナとを備え、
ベビーカーは少なくとも一つのベビーカーファスナを含み、
前記少なくとも一つのキャリアファスナは前記少なくとも一つのベビーカーファスナに解放可能に連結するように構成される子供用品。
【請求項１７】
前記側壁は、前記底パネルの両側部における第１及び第２側部パネルを含み、前記少なくとも一つのキャリアファスナは、第１側部パネルにおける第１キャリアファスナと、第２側部パネルにおける第２キャリアファスナとを含む請求項１６に従う子供用品。
【請求項１８】
前記第１及び第２キャリアファスナは、第１及び第２側部パネルの外側面にそれぞれ設けられる請求項１７に従う子供用品。
【請求項１９】
前記少なくとも一つのキャリアファスナはＪ字形フックからなり、前記少なくとも一つのベビーカーファスナは該Ｊ字形フックと解放可能に結合するＤ字形リングからなる請求項１６に従う子供用品。
【請求項２０】
不使用時に前記少なくとも一つのキャリアファスナを覆う少なくとも一つのファスナカバーを更に備えた請求項１６に従う子供用品。
【請求項２１】
前記本体に連結される子供拘束システムを更に備え、子供拘束システムは、少なくとも一つのウエストストラップを含み、前記少なくとも一つのキャリアファスナカバーは、不使用時に前記少なくとも一つのキャリアファスナを覆う少なくとも一つのウエストストラップのストラップ延長部を含む請求項２０に従う子供用品。
【請求項２２】
前記少なくとも一つのキャリアファスナカバーは、不使用時に前記少なくとも一つのキャリアファスナを覆う、本体に形成されたポケットからなる請求項２０に従う子供用品。
【請求項２３】
前記本体に連結される子供拘束システムを更に備えた請求項１６に従う子供用品。
【請求項２４】
前記側壁は、頭部パネルを更に含む請求項１７に従う子供用品。
【請求項２５】
前記第１及び第２側部パネル及び頭部パネルは連続壁を形成する請求項２４に従う子供用品。
【請求項２６】
前記側壁は、足部パネルを更に備える請求項２４に従う子供用品。
【請求項２７】
前記第１及び第２側部パネル、頭部パネル及び足部パネルは連続壁を形成する請求項２６に従う子供用品。
【請求項２８】
前記ストラップは、頭部パネル及び足部パネルに連結される請求項２６に従う子供用品。
【請求項２９】
前記ストラップは、単一の取り付け箇所で頭部パネルに連結する請求項２８に従う子供用品。
【請求項３０】
前記ストラップは、前記少なくとも二つの取り付け箇所のうちの一つで本体に解放可能に連結される請求項１６に従う子供用品。
【請求項３１】
乳児キャリアであって、
底パネルと、底パネルに連結される下方縁を有する非剛性の側壁にして、頭部パネル及び第１及び第２側部パネルを含む側壁とを含む本体と、
少なくとも二つの取り付け箇所で本体に連結されるストラップと、
該乳児キャリアをベビーカーに解放可能に連結する、第１及び第２側部パネルそれぞれにおける第１及び第２ファスナとを備えた乳児キャリア。
【発明の詳細な説明】
【技術分野】
【０００１】
本出願は、２００４年１０月１３日付け出願の米国仮出願第６０／６１７，６５８号の利益を主張する。該仮出願は、参照によりそっくりそのまま本明細書中に組み込まれる。
【０００２】
本発明は、世話をする人が持ち運ぶことができ、また、ベビーカー又は乳児用カーシート等の機械的乗り物又は他の移動手段に配置することができる乳児（幼児）キャリアに関する。更に詳しくは、世話をする人が肩に渡して持ち運ぶことができ、また、ベビーカーに解放可能に連結することができる乳児キャリアに関する。
【背景技術】
【０００３】
乳児キャリアは、一般に、軟らかい繭のような子供収納領域を提供し、この領域中に乳児が収められ得る。ある慣用の乳児キャリアは、世話をする人の肩に渡して身にまとうことができる。これらの乳児キャリアは、乳児を直立した姿勢に保つか、又は、乳児が水平にもしくはわずかに斜めになる姿勢で横になることを許容するように設計され得る。乳児は、しばしば、縦（直立）型及び水平型乳児キャリアの両方において眠りに落ちる。世話をする人が乳児キャリアで乳児を運ぶことがもはやできない場合、例えば、乳児及び乳児キャリアの総重量の下で世話人が疲れた場合、乳児は、一般に、乳児キャリアから取り去られて、ベビーカー等の異なる移動手段にバックルで留められるか又は他の手段で固定されなければならない。しかしながら、乳児キャリアから移動手段へと乳児を動かすことは、しばしば、乳児を眠りから起こすことになる。
【発明の開示】
【発明が解決しようとする課題】
【０００４】
従って、世話をする人が身にまとうことができ、ベビーカー等の子供用移動手段にしっかりとかつ解放可能に連結することができる乳児キャリアにして、乳児を該乳児キャリアから移動させる必要のない乳児キャリアが当業界において望まれている。
【課題を解決するための手段】
【０００５】
本発明の一側面は、乳児キャリアに関連し、該乳児キャリアは、底パネル、及び、底パネルに連結される下方縁を有する非剛性の側壁を含む本体と、少なくとも二つの取り付け箇所で本体に連結されるストラップと、該乳児キャリアをベビーカーに解放可能に連結するように構成された、本体における少なくとも一つのファスナとを備えている。
【０００６】
本発明の別の側面は、子供用品に関連し、該子供用品は、乳児キャリア及びベビーカーを含む。乳児キャリアは、底パネル、及び、底パネルに連結される下方縁を有する非剛性の側壁を含む本体と、少なくとも二つの取り付け箇所で本体に連結されるストラップと、本体における少なくとも一つのキャリアファスナとを備える。ベビーカーは少なくとも一つのベビーカーファスナを含む。前記少なくとも一つのキャリアファスナは、前記少なくとも一つのベビーカーファスナに解放可能に連結するように構成される。
【０００７】
本発明の別の側面は、乳児キャリアに関連し、該乳児キャリアは、底パネル、及び、底パネルに連結される下方縁を有する非剛性の側壁にして、頭部パネル及び第１及び第２側部パネルを含む側壁を含む本体と、少なくとも二つの取り付け箇所で本体に連結されるストラップと、該乳児キャリアをベビーカーに解放可能に連結する、第１及び第２側部パネルそれぞれにおける第１及び第２ファスナとを備えている。
【０００８】
当然のことながら、上述した一般的記述及び以下の詳細な説明の両方は、単なる例示の説明であり、特許請求の範囲に記載した本発明を限定するものではない。
【発明を実施するための最良の形態】
【０００９】
次に、本発明の目下の好ましい実施形態が詳細に言及され、本発明の実施例が添付図面に例示される。同一又は類似の構成部分について述べるために、図面全体にわたって同じ参照番号を使用するように努めた。
【００１０】
図１は、本発明に従う乳児キャリア１００の実施形態の斜視図である。乳児キャリア１００は、世話をする人が、図４に示すように、例えば首及び／又は肩に渡して身に装着することができ、又は、乳児キャリア１００は、図２に示すようにベビーカー４０に解放可能に連結することができるものである。乳児キャリア１００は、ベビーカー４０の子供着座領域４２の上部に直接置かれ得る。この位置において、乳児キャリア１００は、乳児に対して人間工学的支持環境を与える。世話をする人によって持ち運ばれる際又はベビーカー内に置かれる際の両方において、ほぼ水平の向きにとどまり得るこの乳児キャリア１００は、新生児及び６ヶ月までの乳児に特に適している。乳児キャリア１００は、世話をする人とベビーカー４０との間を容易に移すことができる。従って、世話をする人が、乳児キャリア１００内で眠っている乳児をベビーカー４０に置く必要がある場合、又は、ベビーカー４０から乳児キャリア１００内の乳児を取り上げる必要がある場合において、世話をする人は、乳児キャリア１００から乳児を持ち上げること、又は、乳児を目覚めさせないことについて悩む必要はない。加えて、乳児キャリア１００はキャリアファスナを含み、該キャリアファスナは、乳児キャリア１００がベビーカー４０にしっかりと結合されるように、ベビーカーファスナに解放可能に連結されるように構成される。
【００１１】
図１及び５に示すように、乳児キャリア１００は、一般に、乳児を受ける本体１１０と、世話をする人が乳児キャリア１００を身に付けることができるようにする、本体１１０に連結された持ち運びストラップ１３０と、乳児キャリア１００をベビーカー４０に解放可能に連結するように構成された、例示したＪ字形フック等の少なくとも一つのキャリアファスナ１４３とを含む。
【００１２】
図５及び６は、本発明の一実施形態に従う乳児キャリア１００の本体１１０を例示する。本体１１０は、一般に、底パネル１１２と、底パネル１１２に連結される下方縁を有する側壁１２０とを含む。底パネル１１２及び側壁１２０は、乳児にとって繭のような構造を形成することができる。
【００１３】
側壁１２０は堅くないものであり得る。側壁１２０は、底パネル１１２に対して動かされ得るか又は曲げられ得る。例えば、非剛性の側壁１２０は、世話をする人の外形に順応することができる。加えて、側壁１２０の非剛性特性は、保管のために、側壁１２０が底パネル１１０に向かって折り重なることを可能にする。
【００１４】
側壁１２０は、頭部パネル１２２と、底パネル１１２の両側部における第１及び第２の側部パネル１２４、１２６と、足部パネル１２８とを含み得る。頭部パネル１２２、第１及び第２側部パネル１２４、１２６及び足部パネル１２８は、図５に示すように、連続的な側壁１２０を形成し得る。あるいは、隣り合うパネル１２２、１２４、１２６、１２８は、乳児キャリア１００の側壁１２０に沿ってギャップ（途切れ）が存在するように互いに離隔され得る。
【００１５】
底パネル１１２は、一般に、頭部部分１１３及び足部部分１１５を含むことができる。乳児が底パネル１１２に置かれた場合、乳児の頭が底パネル１１２の頭部部分１１３上に載せられ、また、乳児の下半身が足部部分１１５上に載せられ得る。
【００１６】
底パネル１１２の頭部部分１１３は、乳児に対する軟らかい頭部サポートとしての役割を果たすパッド（詰め物）を含み得る。更に、底パネル１１２又は側壁１２０の他の任意の部分も、快適さを高めるためにパッドを含み得る。
【００１７】
図９に示すように、底パネル１１２は、ポケット及びポケット内に配置した補強ボード１８１を含み得る。補強ボード１８１は、乳児に対するバリア又は堅いサポートとしての役割を果たして、乳児の背中の保護を支援する。補強ボード１８１は、ベビーカー４０の子供着座領域４２に対応するような形状とされ得る。補強ボード１８１は、乳児キャリア１００が自立可能（すなわち、乳児キャリア１００が表面に置かれた際、水平姿勢のままであり続けることができ、また、乳児が乳児キャリア１００内にいる際、その側部にひっくり返らない）となることを可能にする。補強ボード１８１は、乳児キャリア１００の容易な洗浄を可能にするために取り外すことができ、又は、固定され得る。補強ボード１８１は、プラスチック、金属、又は他の適切な材料からなり得る。補強ボードはまた、頭部パネル１２２、側部パネル１２４、１２６及び／又は足部パネル１２８に使用され得る。
【００１８】
上述したように、乳児キャリア１００はストラップ１３０を含む。ストラップ１３０は、図４に示すように、世話をする人が乳児キャリア１００を肩及び／又は首にかけて身にまとうことができるように寸法設定される。ストラップ１３０は、少なくとも二つの取り付け箇所でキャリア本体１１０に連結される。例えば、ストラップ１３０は、第１取り付け箇所において本体１１０の頭部パネル１２２に連結され得、また、ストラップ１３０は、第２取り付け箇所において本体１１０の足部パネル１２８に連結され得る。ストラップ１３０は、ストラップ１３０を異なる長さに調整するためにストラップ調整器１３４を含み得る。
【００１９】
ストラップ１３０は、世話をする人が身にまとい、乳児キャリア１００を水平に又は斜めに持ち運ぶことができるように構成される。ストラップ１３０は、世話をする人が身に付けた際、キャリア１００が吊り包帯のような（吊り下げ型の）位置にあるように、世話人の一方の肩に渡って首及び腕の後ろに位置付けられ得る。ストラップ１３０は非剛性である。従って、乳児キャリア１００が世話をする人に装着されていない場合、世話人は、ストラップ１３０を、乳児キャリア１００内の乳児から離して、側部パネル１２４、１２６の外側面又は底パネル１１２下に並べて配置し又は折り込むことができる。図２は、例えば、ストラップ１３０を示す。底パネル１１２下に折り込んで隠れた位置にあるストラップ１３０を示す。
【００２０】
乳児キャリア１００は、ファスナ機構１４０によってベビーカー４０に解放可能に連結され得る。ファスナ機構１４０は、留め金、ジッパー、バックル、ベルクロ（登録商標）、Ｊ字形フック及びＤ字形リング、ベルト及び生地のスリット、又は、他の任意の適切なタイプの締結部材を含み得る。ファスナ機構１４０は、キャリア１００における少なくとも一つのキャリアファスナ１４３と、ベビーカー４０における少なくとも一つのベビーカーファスナ１４４とを含み、ベビーカーファスナ１４４は、上記少なくとも一つのキャリアファスナ１４３に解放可能に連結されるように構成される。例えば、キャリアファスナは、Ｊ字形フック、留め金、バックル、ベルクロ（登録商標）、ジッパー、又は他の任意の適切なファスナであり得る。ベビーカーファスナは、キャリアファスナとそれぞれ結合する、対応するＤ字形リング、留め金、ラッチ、ベルクロ（登録商標）、ジッパー、又は他の任意の適切なファスナであり得る。図３の例示実施形態において、キャリアファスナ１４３は、Ｊ字形フックであり、ベビーカーファスナ１４４はＤ字形リングである。別の構成において、Ｄ字形リングは乳児キャリア１００にあり、かつＪ字形フックがベビーカー４０にあり得る点が認識される。締結部材のどのような組合せも、乳児キャリア１００をベビーカー４０に解放可能に連結するために使用され得る。加えて、いかなる数のファスナ機構１４０も、乳児キャリア１００をベビーカー４０に解放可能に連結するために使用され得る。一実施形態において、第１及び第２キャリアファスナ１４３が、第１及び第２側部パネル１２４、１２６それぞれに設置され得、また、対応するベビーカーファスナ１４４がベビーカー４０の子供着座領域４２の両側部に設けられ得る。更に、キャリアファスナ１４３は、各側部パネル１２４、１２６の外側面に設けられ得る。
【００２１】
使用していない場合、キャリアファスナ１４３はファスナカバーで覆われ得る。例えば、図８に示すように、子供拘束システム１５０のウエストストラップ１６２、１６３それぞれのストラップ延長部１７８が、キャリアファスナ１４３上に配置されて、マジックテープ（ベルクロ（登録商標））領域１４２に結合され得る。マジックテープ領域１４２は、キャリアファスナ１４３下の側部パネル１２４、１２６それぞれの外側面に設けられ得る。従って、図４に示すように乳児キャリア１００が世話をする人に装着されている場合、キャリアファスナ１４３は、世話をする人を引っ掻いたり又は擦ったりしない。乳児キャリア１００がベビーカー４０に連結される場合、ストラップ延長部１７８は、マジックテープ領域１４２から引き離され、使用のためにキャリアファスナ１４３を露出させる。
【００２２】
乳児キャリア１００は、乳児を乳児キャリア本体１１０を固定する子供拘束システム１５０を含み得る。図３、５及び７は、子供拘束システム１５０の実施形態を示す。子供拘束システム１５０は、５点拘束システムであり得る。子供拘束システム１５０は、一般に、拘束パネル１５２と、パネル１５２に取り付けられるバックル１５４と、第１及び第２ラッチ１６０、１６１をそれぞれ有する第１及び第２ウエストストラップ１６２、１６３と、第１及び第２肩ストラップコネクタ１７３、１７４をそれぞれ有する第１及び第２ストラップ１７１、１７２と、足ストラップ１５６とを含み得る。
【００２３】
拘束パネル１５２は足部パネル１２８に連結され得、また、乳児の足間に配置され得る。バックル１５４は、乳児のウエスト付近で拘束パネル１５２に取り付けられる。バックル１５４は、ラッチ１６０、１６１を解放するための解放ボタン１５５を含む。
【００２４】
ウエストストラップ１６２、１６３は、第１及び第２側部パネル１２４、１２６にそれぞれ連結され得る。ラッチ１６０、１６１は、ウエストストラップ１６２、１６３をバックル１５４に解放可能に連結し、また、ウエストストラップ１６２、１６３の長さを調整する調整器を含み得る。
【００２５】
第１及び第２肩ストラップ１７１、１７２は、第１及び第２肩ストラップコネクタ１７３、１７４を介してバックル１５４に解放可能に連結され得る。肩ストラップ１７１、１７２の一端部は、キャリア本体１１０の底パネル１１２に取り付けられ得、肩ストラップ１７１、１７２の他端部は、肩ストラップコネクタ１７３、１７４に結合し得る。肩ストラップコネクタ１７３、１７４それぞれは、図７に示すように、ラッチ１６０、１６１におけるロックロッド１６４を受け入れるための通路（図示せず）を含み得る。
【００２６】
足ストラップ１５６は、二つのスリット１５３によって形成された、パネル１５２のバンド１５７の下に通される。足ストラップ１５６は、一端部において足部パネル１２８に取り付けられ得、他端部においてバックル１５４に取り付けられる。足ストラップ１５６は、足ストラップ１５６の長さを調整するための足ストラップ調整器１５８を含む。足ストラップ１５６の長さを調整することにより、拘束パネル１５２の位置は、大きさが様々の乳児を乳児キャリア１００にぴったりとフィットさせることを可能にするために変更され得る。
【００２７】
乳児を乳児キャリア１００内に留めるため、拘束パネル１５２は、乳児の足間及びウエスト領域上にわたって配置される。足ストラップ１５６は、乳児の身長に応じて適切な長さに調整される。肩ストラップ１７１、１７２は、乳児の肩上にわたって配置され、適切な長さに調整される。ラッチ１６０、１６１のロックロッド１６４は、肩ストラップコネクタ１７３、１７４における通路内に挿入され、また、ラッチ１６０、１６１は、バックル１５２に挿入されて連結される。乳児の留めを解くために、解放ボタン１５５が押され、ラッチ１６０、１６１がバックル１５４から取り去られ、また、肩ストラップコネクタ１７３、１７４がロックロッド１６４から連結を解かれる。
【００２８】
図１０は、本発明の別の実施形態に従う乳児キャリア２００を例示する。乳児キャリア２００は、図１〜９の実施形態と同様に、ベビーカー４０に解放可能に連結され得、又は、世話をする人によって持ち運ばれ得る。乳児キャリア２００は、本体２１０と、ストラップ２３０と、複数のキャリアファスナ２４０と、子供拘束システム２５０とを含む。
【００２９】
本体２１０は、底パネル２１２及び側壁２２０を含む。底パネルは、頭部部分２１３及び足部部分２１５を含み得る。側壁２２０は、連続壁を形成する、頭部パネル２２２と両側の第１及び第２側部パネル２２４、２２６とを含み得る。
【００３０】
ストラップ２３０は、一端部２３２において頭部パネル２２２に解放可能に取り付けられ得、また、他端部２３３において底パネル２１２の足部部分２１５に解放可能に取り付けられ得る。ストラップ２３０は、追加の取り付け位置を含み得る。ストラップ２３０は、第１及び第２端部２３２、２３３においてキャリア２００から分離され得る。ストラップ２３０は、堅いか又は堅くない構造のものであり得る。
【００３１】
キャリアファスナ２４０は、側部パネル２２４、２２６の外側面に配置され得、また、図１〜９の実施形態に対して記述したものと同様の態様で、ベビーカー４０におけるベビーカーファスナ１４４と連結するように構成される。キャリアファスナ２４０は、Ｊ字形フック、ジッパー、留め金、ベルクロ（登録商標）、ベルト、又は他の任意の適切なファスナであり得る。キャリアファスナ２４０は、ベビーカー４０における対応するベビーカーファスナ１４４と結合可能である。ポケット２４２の形態のキャリアファスナカバーが、キャリアファスナ２４０上にわたって配置され得る。これにより、キャリアファスナ２４０が覆われ、世話をする人が身に付けるために、乳児キャリア２００がベビーカー４０から連結を解かれた際、キャリアファスナ２４０が世話人をわずかでも引っ掻いたり又は擦ったりすることを防止する。キャリアファスナ２４０が必要な場合、キャリアファスナ２４０は、ポケット２４２から外へと引き下げられ得る。図１０は、最も右のポケット２４２によって覆われた一つのキャリアファスナと、最も左側のポケット２４２から引き出された別のキャリアファスナ２４０とを例示する。乳児キャリア２００をベビーカー４０に解放可能に連結するために、任意の適切な位置における任意の適切な数のキャリアファスナ２４０が使用され得る。
【００３２】
子供拘束システム２５０は３点拘束システムであり得る。子供拘束システム２５０は、例えばストラップ２３０の他端部２３３に隣接して、底パネル２１２の足部部分２１５に取り付けられる拘束パネル２５２を含み得る。拘束パネル２５２は、ウエストストラップ２６２、２６３のラッチ（図示せず）を受け入れるための開口２５３を含み得る。バックル（図示せず）が、開口２５３の内側に配置される。バックルは、拘束パネル２５２上に配置される解放ボタン２５５を含む。ボタン２５５を押すやいなやラッチが解放され得るようにされる。
【００３３】
乳児キャリアは種々の適切な子供移動手段又は子供収納構造に組み込むことができ、またそれに解放可能に結合することができることが認識される。例えば、乳児キャリアは、乳児カーシート、新生児用かご型ベッド、又は他の適切な子供移動手段又は子供収納構造に解放可能に連結され得る。更に、乳児キャリアは、シングル及びダブルベビーカー、及びフレームが異なる形状であるベビーカー、又はベビーカーシートを含む図２に示すもの以外の多くの異なるタイプのベビーカーに連結され又は取り付けられ得る。
【００３４】
乳児キャリアは、外殻が堅いベビーカー、乳児カーシート、又は他の移動手段又は収納構造の領域内にフィットすることができる乳児に対して、軟らかく快適な子供収納領域を提供することができる。乳児カーシートは、織物、弾性フォーム、繊維充填材等の任意の適切な材料から形成され得る。例えば、側部パネル１２４、１２６の外側面等のキャリア本体の外側面は、耐久性のあるテクスチャード加工の材料又は耐久性のある織物、例えばポリエステル織物又はナイロン織物から成り得る。側部パネル１２４、１２６の内側面等のキャリア本体の内側面は、軟らかでことによるとニット等の通気性のある織物、テクスチャード加工の織物、不織布、ナップを立てた繊維もしくはテリー織りタイプの繊維、ベロアテリー、綿ニット、軟らかい感触のダブルニット、軟らかいメッシュニットもしくはジャージニットから成り得る。キャリア本体の内側面と外側面との間には、洗うことができる弾性材料からなる詰め物、例えば、フォーム及び繊維充填材が存在し得る。ストラップ１３０は、軟らかいが頑丈な内側材料と耐久性のある外側材料とから成り得る。ストラップ１３０の裏張りは、快適さのために軟質フォーム及びポリエステルであり得る。もちろん、他の任意の適切な材料が使用され得る。更に、キャリア本体の一部又は全体は、GracoPedic記憶フォーム等の記憶フォームから成り得る。記憶フォームは、圧点を最小にし、乳児の快適さを高めることができる。材料はすべて、洗って乾かすことができる材料からなり得る。更に、ファスナ１４０、バックル１５２、及び乳児キャリアの他の部品は、プラスチック又は金属からなり得る。
【００３５】
キャリア本体はまた、通気領域を含み得る。単なる例として、上述した図面に示すキャリア本体の暗くした又は陰影を付けた領域は、空気が乳児キャリアを通って流れることを可能にするため、メッシュ又は他の多孔性通気材料又は通し孔で置き換え得る。別の例として、キャリア本体１１０は、乳児に与える空気流を増やすため、キャリア１００の上半において底パネル１１２が側壁１２０と接合する箇所で、内側の通気性のあるメッシュストリップを含み得る。
【００３６】
乳児キャリアはまた、図面に示した水平姿勢ではなく、鉛直姿勢に向けられ得ることが認識される。鉛直姿勢に向けられように設計された乳児キャリアは、追加のストラップ及び乳児包囲パネルを含み得る。そのような鉛直姿勢の乳児キャリアは、水平姿勢乳児キャリアよりも体重が重くて年が上の範囲の幼児を運ぶのに使用され得る。更に、乳児キャリアは、世話をする人によって装着される別個のハーネスシステムを組み込むように適合され得る。該ハーネスシステムは、完全なキャリアシステムを与える。
【００３７】
好ましい実施形態が例示目的で詳細に記載された。しかしながら、この記述は、本発明の範囲についての限定であると考えるべきではない。特許請求の範囲に記載した発明概念から逸脱することなく、当業者にとって、種々の変更、改変、及び代案が行われ得る。本発明の真の範囲及び精神は、特許請求の範囲に示される。
【図面の簡単な説明】
【００３８】
【図１】本発明に従う乳児キャリアに置かれた乳児を示す、乳児キャリアの上からの斜視図である。
【図２】ベビーカーに連結された乳児キャリアを示す、図１の乳児キャリアの上からの斜視図である。
【図３】キャリアファスナがベビーカーファスナに連結されるファスナ機構を示す、図２に示す乳児キャリアの詳細斜視図である。
【図４】乳児キャリアが世話をする人によって身に付けられている、図１の乳児キャリアの図である。
【図５】図１の乳児キャリアの上からの斜視図である。
【図６】乳児キャリアに置かれた乳児を示す、図１の乳児キャリアの側面図である。
【図７】図１の乳児キャリアの子供拘束システムの上面図である。
【図８】図１の乳児キャリアのキャリアファスナ上にわたるファスナカバーの詳細斜視図である。
【図９】図６の９−９線に沿うキャリアの断面図である。
【図１０】本発明の別の実施形態に従う乳児キャリアの上からの斜視図である。
【符号の説明】
【００３９】
４０  ベビーカー
１００  乳児キャリア
１１０  本体
１１２  底パネル
１２０  側壁
１２２  頭部パネル
１２４、１２６  側部パネル
１２８  足部パネル
１３０  ストラップ
１４０  ファスナ機構
１４３  キャリアファスナ
１４４  ベビーカーファスナ
１５０  子供拘束システム
１５４  バックル
１６２、１６３  ウエストストラップ
１７８  ストラップ延長部
【図１】
2008515607.tif 000003
【図２】
2008515607.tif 000004
【図３】
2008515607.tif 000005
【図４】
2008515607.tif 000006
【図５】
2008515607.tif 000007
【図６】
2008515607.tif 000008
【図７】
2008515607.tif 000009
【図８】
2008515607.tif 000010
【図９】
2008515607.tif 000011
【図１０】
2008515607.tif 000012
【手続補正書】
【提出日】平成18年8月14日(2006.8.14)
【手続補正１】
【補正対象書類名】特許請求の範囲
【補正対象項目名】全文
【補正方法】変更
【補正の内容】
【特許請求の範囲】
【請求項１】
乳児キャリアであって、
底パネルと、底パネルに連結される下方縁を有する非剛性の側壁とを含む本体と、
少なくとも二つの取り付け箇所で本体に連結されるストラップとを備え、
該乳児キャリアは、本体における少なくとも一つのファスナを有し、該少なくとも一つのファスナは、該乳児キャリアをベビーカーに解放可能に連結するように構成され、該乳児キャリアは、ベビーカーの着座領域に直接配置されるように構成されることを特徴とする乳児キャリア。
【請求項２】
前記側壁は、前記底パネルの両側部における第１及び第２側部パネルを含み、前記少なくとも一つのファスナは、第１側部パネルにおける第１ファスナと、第２側部パネルにおける第２ファスナとを含む請求項１に従う乳児キャリア。
【請求項３】
前記第１及び第２ファスナは、第１及び第２側部パネルの外側面にそれぞれ設けられる請求項２に従う乳児キャリア。
【請求項４】
前記少なくとも一つのファスナはＪ字形フックからなる請求項１に従う乳児キャリア。
【請求項５】
不使用時に前記少なくとも一つのファスナを覆う少なくとも一つのファスナカバーを更に備えた請求項１に従う乳児キャリア。
【請求項６】
前記本体に連結される子供拘束システムを更に備え、子供拘束システムは、少なくとも一つのウエストストラップを含み、前記少なくとも一つのファスナカバーは、不使用時に前記少なくとも一つのファスナを覆う少なくとも一つのウエストストラップのストラップ延長部を含む請求項５に従う乳児キャリア。
【請求項７】
前記少なくとも一つのファスナカバーは、不使用時に前記少なくとも一つのファスナを覆う、本体に形成されたポケットからなる請求項５に従う乳児キャリア。
【請求項８】
前記本体に連結される子供拘束システムを更に備えた請求項１に従う乳児キャリア。
【請求項９】
前記側壁は、頭部パネルを更に含む請求項２に従う乳児キャリア。
【請求項１０】
前記第１及び第２側部パネル及び頭部パネルは連続壁を形成する請求項９に従う乳児キャリア。
【請求項１１】
前記側壁は、足部パネルを更に備える請求項９に従う乳児キャリア。
【請求項１２】
前記第１及び第２側部パネル、頭部パネル及び足部パネルは連続壁を形成する請求項１１に従う乳児キャリア。
【請求項１３】
前記ストラップは、頭部パネル及び足部パネルに連結される請求項１１に従う乳児キャリア。
【請求項１４】
前記ストラップは、単一の取り付け箇所で頭部パネルに連結する請求項１３に従う乳児キャリア。
【請求項１５】
前記ストラップは、前記少なくとも二つの取り付け箇所のうちの一つで本体に解放可能に連結される請求項１に従う乳児キャリア。
【請求項１６】
請求項１に従う乳児キャリアを備えた子供用品であって、着座領域及び少なくとも一つのベビーカーファスナを含むベビーカーを更に備え、前記少なくとも一つのキャリアファスナは、前記少なくとも一つのベビーカーファスナに解放可能に連結され、前記本体は、前記着座領域に置かれる子供用品。
【請求項１７】
前記少なくとも一つのベビーカーファスナは、前記Ｊ字形フックと解放可能に結合するＤ字形リングからなる請求項４に従う乳児キャリア。
【請求項１８】
前記乳児キャリアは、吊り下げ型乳児キャリアである請求項１に従う乳児キャリア。
【請求項１９】
前記ストラップは単一の肩ストラップである請求項１に従う乳児キャリア。
【国際調査報告】
2008515607.tif 000013
2008515607.tif 000014
2008515607.tif 000015